(57)【要約】      （修正有）【課題】複数のＬＥＤ光源を配置したモジュールの組み合わせて均一な輝度とするＬＥＤ光源モジュールを提供する。【解決手段】四辺形の回路基板２０上に配列する複数のＬＥＤ３０を正六辺形３１に配置し、回路基板２０の四辺の各側辺縁においてこれらの正六辺形３１が相対する側辺縁の正六辺形と接合して正六辺形を構成するように切断された形状とし、且つ電源接続部４１，４２，４３，４４をこれらの相対する側辺縁部に接して相互に相対する位置に配置し、これらの相対する電源を結合可能とする。以上の構成により、ＬＥＤ光源を配置したサイズの異なる複数のモジュールを組み合わせ可能となり、かつＬＥＤによる輝度を均一にすることができる。【選択図】図１
0003156891.tif 000002
【実用新案登録請求の範囲】
【請求項１】
第１の側辺、第２の側辺、第３の側辺および第４の側辺を有する四辺形からなり、前記第１の側辺と前記第２の側辺とは、対向する位置にあり、前記第３の側辺と前記第４の側辺とは、対向する位置にある回路基板と、
前記回路基板上に配置されて電気的に接続され、複数の連続して配列される正六辺形を形成し、前記第１の側辺および前記第２の側辺に隣接する部分は、複数の１／２正六辺形から構成され、前記第３の側辺に隣接する部分は、少なくとも１つの（ｎ−ｍ）／ｎ正六辺形から構成され、前記第４の側辺に隣接する部分は、少なくとも１つのｍ／ｎ正六辺形を構成するように配置された複数のＬＥＤと、を備えることを特徴とするＬＥＤ光源モジュール構造。（ここで、ｎおよびｍは、自然数であり、ｎ>ｍであり、ｎ≠２である。）
【請求項２】
前記回路基板は、正方形または長方形であることを特徴とする請求項１記載のＬＥＤ光源モジュール構造。
【請求項３】
前記回路基板は、さらに、１組の第１の電源接続部および１組の第２の電源接続部を備え、前記第１の電源接続部と前記第２の電源接続部とは、前記第３の側辺および前記第４の側辺の中点を結んだ線に対して線対称の位置の前記第１の側辺と前記第２の側辺とにそれぞれ配置されたことを特徴とする請求項１記載のＬＥＤ光源モジュール構造。
【請求項４】
前記回路基板は、さらに、１組の第３の電源接続部および１組の第４の電源接続部を備え、前記第３の電源接続部と前記第４の電源接続部とは、前記第１の側辺および前記第２の側辺の中点を結んだ線に対して線対称の位置の前記第３の側辺と前記第４の側辺とにそれぞれ配置されることを特徴とする請求項３記載のＬＥＤ光源モジュール構造。
【請求項５】
前記第３の側辺に隣接する部分は、少なくとも１つの前記（ｎ−ｍ）／ｎ正六辺形と少なくとも１つの前記ｍ／ｎ正六辺形とが交互に配列されて構成されることを特徴とする請求項１記載のＬＥＤ光源モジュール構造。
【請求項６】
前記第４の側辺に隣接する部分は、少なくとも１つの前記（ｎ−ｍ）／ｎ正六辺形と少なくとも１つの前記ｍ／ｎ正六辺形とが交互に配列されて構成されることを特徴とする請求項５記載のＬＥＤ光源モジュール構造。
【請求項７】
第５の側辺、第６の側辺、第７の側辺および第８の側辺を有する四辺形からなり、前記第５の側辺と前記第６の側辺とは、対向する位置にあり、前記第７の側辺と前記第８の側辺とは、対向する位置にある回路基板と、
前記回路基板に配置されて電気的に接続され、複数の連続して配列される正六辺形を形成し、前記第５の側辺および前記第６の側辺に隣接する部分は、１／２正六辺形から構成され、前記第７の側辺および前記第８の側辺に隣接する部分は、少なくとも１つの（ｎ−ｍ）／ｎ正六辺形を構成されるように配置された複数のＬＥＤと、を備えることを特徴とするＬＥＤ光源モジュール構造。（ここで、ｎおよびｍは、自然数であり、ｎ>ｍであり、ｎ≠２である。）
【請求項８】
前記回路基板は、長方形または正方形であることを特徴とする請求項７記載のＬＥＤ光源モジュール構造。
【請求項９】
前記回路基板は、さらに、１組の第７の電源接続部および１組の第８の電源接続部を備え、前記第７の電源接続部と前記第８の電源接続部とは、前記第７の側辺および前記第８の側辺の中点を結んだ線に対して線対称の位置の前記第５の側辺と前記第６の側辺とにそれぞれ配置されることを特徴とする請求項７記載のＬＥＤ光源モジュール構造。
【請求項１０】
前記回路基板は、さらに、１組の第５の電源接続部および１組の第６の電源接続部を備え、前記第５の電源接続部と前記第６の電源接続部とは、前記第５の側辺および前記第６の側辺の中点を結んだ線に対して線対称の位置の前記第７の側辺と前記第８の側辺とにそれぞれ配置されることを特徴とする請求項９記載のＬＥＤ光源モジュール構造。
【請求項１１】
前記第７の側辺および前記第８の側辺に隣接する部分は、少なくとも１つの前記（ｎ−ｍ）／ｎ正六辺形と少なくとも１つの前記ｍ／ｎ正六辺形とが交互に配列されて構成されることを特徴とする請求項７記載のＬＥＤ光源モジュール構造。
【請求項１２】
第９の側辺、第１０の側辺、第１１の側辺および第１２の側辺を有する四辺形からなり、前記第９の側辺と前記第１０の側辺とは、対向する位置にあり、前記第１１の側辺と前記第１２の側辺とは、対向する位置にある回路基板と、
前記回路基板に配置されて電気的に接続され、複数の連続して配列される正六辺形を形成し、前記第９の側辺および前記第１０の側辺に隣接する部分は、（ｎ−ｍ）／２ｎ正六辺形から構成され、前記第１１の側辺および前記第１２の側辺に隣接する部分は、少なくとも１つのｍ／ｎ正六辺形を構成するように配置された複数のＬＥＤと、を備えることを特徴とするＬＥＤ光源モジュール構造。（ここで、ｎおよびｍは、自然数であり、ｎ>ｍであり、ｎ≠２である。）
【請求項１３】
前記回路基板は、長方形または正方形であることを特徴とする請求項１２記載のＬＥＤ光源モジュール構造。
【請求項１４】
前記回路基板は、さらに、１組の第９の電源接続部および１組の第１０の電源接続部を備え、前記第９の電源接続部と前記第１０の電源接続部とは、前記第１１の側辺および前記第１２の側辺の中点を結んだ線に対して線対称の位置の前記第９の側辺と前記第１０の側辺とにそれぞれ配置され、
前記回路基板は、さらに、１組の第１１の電源接続部および１組の第１２の電源接続部を備え、前記第１１の電源接続部と前記第１２の電源接続部とは、前記第９の側辺および前記第１０の側辺の中点を結んだ線に対して線対称の位置の前記第１１の側辺と前記第１２の側辺とにそれぞれ配置されることを特徴とする請求項１２記載のＬＥＤ光源モジュール構造。
【請求項１５】
前記第１１の側辺および前記第１２の側辺に隣接する部分は、少なくとも１つの前記（ｎ−ｍ）／ｎ正六辺形と少なくとも１つの前記ｍ／ｎ正六辺形とが交互に配列されて構成されることを特徴とする請求項１２記載のＬＥＤ光源モジュール構造。
【考案の詳細な説明】
【技術分野】
【０００１】
本考案は、ＬＥＤ光源モジュール構造に関し、特に、各種サイズに組み立てることができるＬＥＤ光源モジュール構造に関する。
【背景技術】
【０００２】
従来、照明看板の内部の光源は、灯管が多く使用されていた。しかし、現在では、灯管に取って代わり、ＬＥＤが照明看板の光源としてよく使用されている。その理由として、ＬＥＤ技術の急速な発展に伴い、ＬＥＤの量産化が可能になったことにより、ＬＥＤの価格が安くなったことと、ＬＥＤが耐震性に優れる、消費電力が少ない、環境にやさしい、体積が小さい、反応速度が速い、などの様々な長所を有することが挙げられる。
【０００３】
様々な必要に応じ、製作される照明看板の外形、サイズ、色などが異なるため、各種の照明看板のサイズに適合するＬＥＤ光源モジュールを特別に製作する必要がある。通常、メーカーは、ＬＥＤ光源モジュールのコストおよび販売価格を考慮し、同一サイズのＬＥＤ光源モジュールを大量に製造する。しかし、特殊なサイズのＬＥＤ光源モジュールは、市場における需要が少ないため、需要との間にギャップの問題が発生しやすい。
【０００４】
照明看板の内部のＬＥＤ光源モジュールは、複数のＬＥＤから構成される。各ＬＥＤは、所定の光出射角度および光出射方向を有するため、ＬＥＤの配列方式は、ＬＥＤ光源モジュールの輝度および光出射の均一度に影響を与える。
【０００５】
ＬＥＤ光源モジュールの内部のＬＥＤの配列方式が適当でない場合、ある方向への輝度が低下するため、照明看板に応用したとき、ある方向への輝度が不足してしまう。これにより、照明看板のある部分の図案または字が認識しにくくなり、照明看板の宣伝効果が低下する。
【先行技術文献】
【特許文献】
【０００６】
【特許文献１】特開２００９−１６０９３号公報
【特許文献２】特開平６−３１４０６７号公報
【考案の概要】
【考案が解決しようとする課題】
【０００７】
本考案の第１の目的は、モジュール化されている上、様々なサイズを有するため、必要に応じ、適当なサイズの光源モジュールを選択し、必要なサイズに組み立てることができ、これにより、在庫の問題を解消することができるＬＥＤ光源モジュール構造を提供することにある。
本考案の第２の目的は、正六辺形の方式でＬＥＤが配列されるため、各ＬＥＤの間の距離が同一になり、これにより、光を均一に出射することができるＬＥＤ光源モジュール構造を提供することにある。
本考案の第３の目的は、ＬＥＤ光源モジュール構造の各側面が異なる比率の正六辺形から構成されるため、組立を誤るのを防止することができるＬＥＤ光源モジュール構造を提供することにある。
【課題を解決するための手段】
【０００８】
上述の課題を解決するために、本考案のＬＥＤ光源モジュール構造は、
四辺形であり、第１の側辺、第２の側辺、第３の側辺および第４の側辺を有し、第１の側辺と第２の側辺とは、対向配置され、第３の側辺と第４の側辺とは、対向配置される回路基板と、
回路基板に配置されて電気的に接続され、複数の連続して配列される正六辺形を形成し、第１の側辺および第２の側辺に隣接する部分は、複数の１／２正六辺形から構成され、第３の側辺に隣接する部分は、少なくとも１つの（ｎ−ｍ）／ｎ正六辺形から構成され、第４の側辺に隣接する部分は、少なくとも１つのｍ／ｎ正六辺形から構成される複数のＬＥＤと、を備える。ここで、ｎおよびｍは、自然数であり、ｎ>ｍであり、ｎ≠２である。
【０００９】
上述の課題を解決するために、本考案のＬＥＤ光源モジュール構造は、
四辺形であり、第５の側辺、第６の側辺、第７の側辺および第８の側辺を有し、第５の側辺と第６の側辺とは、対向配置され、第７の側辺と第８の側辺とは、対向配置される回路基板と、
回路基板に配置されて電気的に接続され、複数の連続して配列される正六辺形を形成し、第５の側辺および第６の側辺に隣接する部分は、１／２正六辺形から構成され、第７の側辺および第８の側辺に隣接する部分は、少なくとも１つの（ｎ−ｍ）／ｎ正六辺形から構成される複数のＬＥＤと、を備える。ここで、ｎおよびｍは、自然数であり、ｎ>ｍであり、ｎ≠２である。
【００１０】
上述の課題を解決するために、本考案のＬＥＤ光源モジュール構造は、
四辺形であり、第９の側辺、第１０の側辺、第１１の側辺および第１２の側辺を有し、第９の側辺と第１０の側辺とは、対向配置され、第１１の側辺と第１２の側辺とは、対向配置される回路基板と、
回路基板に配置されて電気的に接続され、複数の連続して配列される正六辺形を形成し、第９の側辺および第１０の側辺に隣接する部分は、（ｎ−ｍ）／２ｎ正六辺形から構成され、第１１の側辺および第１２の側辺に隣接する部分は、少なくとも１つのｍ／ｎ正六辺形から構成される複数のＬＥＤと、を含む。ここで、ｎおよびｍは、自然数であり、ｎ>ｍであり、ｎ≠２である。
【考案の効果】
【００１１】
本考案を実施することにより、少なくとも以下の効果が達成される。
１．ＬＥＤが正六辺形の方式で配列されるため、光を均一に出射することができる。
２．ＬＥＤ光源モジュール構造は、モジュール化されているため、必要に応じ、適当なサイズの光源モジュールを選択し、必要なサイズに組み立てることができる。このため、ＬＥＤ光源モジュール構造の応用範囲を広げることができる。
【図面の簡単な説明】
【００１２】
【図１】本考案の第１実施形態によるＬＥＤ光源モジュール構造１０１を示す平面図である。
【図２】本考案の第１実施形態によるＬＥＤ光源モジュール構造１０２を示す平面図である。
【図３】本考案の第１実施形態によるＬＥＤ光源モジュール構造１０３を示す平面図である。
【図４】本考案の第１実施形態によるＬＥＤ光源モジュール構造１０４を示す平面図である。
【図５】本考案の第２実施形態によるＬＥＤ光源モジュール構造１０５を示す平面図である。
【図６】本考案の第２実施形態によるＬＥＤ光源モジュール構造１０６を示す平面図である。
【図７】本考案の第２実施形態によるＬＥＤ光源モジュール構造１０７を示す平面図である。
【図８】本考案の第３実施形態によるＬＥＤ光源モジュール構造１０８を示す平面図である。
【図９】本考案の第３実施形態によるＬＥＤ光源モジュール構造１０９を示す平面図である。
【図１０】本考案の第１実施形態によるＬＥＤ光源モジュール構造１０１の応用例を示す平面図である。
【図１１】図１０の組み立てた後の状態を示す平面図である。
【図１２】図１１の一部を示す拡大図である。
【図１３】本考案の第１実施形態によるＬＥＤ光源モジュール構造１０１の応用例を示す平面図である。
【図１４】本考案の第１実施形態によるＬＥＤ光源モジュール構造１０２，１０３，１０４の応用例を示す平面図である。
【図１５】本考案の第２実施形態によるＬＥＤ光源モジュール構造１０５の応用例を示す平面図である。
【図１６】本考案の第２実施形態および第３実施形態によるＬＥＤ光源モジュール構造１０６，１０８の応用例を示す平面図である。
【図１７】本考案の第２実施形態によるＬＥＤ光源モジュール構造１０７の応用例を示す平面図である。
【図１８】本考案の第１実施形態によるＬＥＤ光源モジュール構造１０４の応用例を示す平面図である。
【図１９】本考案の第３実施形態によるＬＥＤ光源モジュール構造１０９の応用例を示す平面図である。
【図２０】本考案の第１実施形態によるＬＥＤ光源モジュール構造１０２の応用例を示す平面図である。
【図２１】本考案の第１実施形態によるＬＥＤ光源モジュール構造１０３の応用例を示す平面図である。
【図２２】本考案の第２実施形態および第３実施形態によるＬＥＤ光源モジュール構造１０５，１０９の応用例を示す平面図である。
【図２３】本考案の第１実施形態によるＬＥＤ光源モジュール構造１０１，１０２の応用例を示す平面図である。
【図２４】本考案の第１実施形態および第２実施形態によるＬＥＤ光源モジュール構造１０１，１０４，１０６，１０７の応用例を示す平面図である。
【図２５】本考案の第１実施形態、第２実施形態および第３実施形態によるＬＥＤ光源モジュール構造１０１，１０４，１０６，１０７，１０８，１０９の応用例を示す平面図である。
【図２６】本考案の第１実施形態、第２実施形態および第３実施形態によるＬＥＤ光源モジュール構造１０１，１０４，１０６，１０７，１０８，１０９の応用例を示す平面図である。
【図２７】本考案の第１実施形態、第２実施形態および第３実施形態によるＬＥＤ光源モジュール構造１０１，１０２，１０６，１０７，１０８，１０９の応用例を示す平面図である。
【図２８】本考案の第１実施形態、第２実施形態および第３実施形態によるＬＥＤ光源モジュール構造１０１，１０２，１０３，１０４，１０５，１０７，１０８，１０９の応用例を示す平面図である。
【考案を実施するための形態】
【００１３】
当該技術を熟知する者が本考案の技術内容、目的および長所を簡単に理解できるように、本考案の実施形態を図面に沿って詳細に説明する。
【００１４】
図１は、本考案の第１実施形態によるＬＥＤ光源モジュール構造１０１を示す平面図である。図２は、本考案の第１実施形態によるＬＥＤ光源モジュール構造１０２を示す平面図である。図３は、本考案の第１実施形態によるＬＥＤ光源モジュール構造１０３を示す平面図である。図４は、本考案の第１実施形態によるＬＥＤ光源モジュール構造１０４を示す平面図である。図５は、本考案の第２実施形態によるＬＥＤ光源モジュール構造１０５を示す平面図である。図６は、本考案の第２実施形態によるＬＥＤ光源モジュール構造１０６を示す平面図である。図７は、本考案の第２実施形態によるＬＥＤ光源モジュール構造１０７を示す平面図である。図８は、本考案の第３実施形態によるＬＥＤ光源モジュール構造１０８を示す平面図である。図９は、本考案の第３実施形態によるＬＥＤ光源モジュール構造１０９を示す平面図である。図１０は、本考案の第１実施形態によるＬＥＤ光源モジュール構造１０１の応用例を示す平面図である。図１１は、図１０の組み立てた後の状態を示す平面図である。図１２は、図１１の一部を示す拡大図である。図１３は、本考案の第１実施形態によるＬＥＤ光源モジュール構造１０１の応用例を示す平面図である。図１４は、本考案の第１実施形態によるＬＥＤ光源モジュール構造１０２，１０３，１０４の応用例を示す平面図である。図１５は、本考案の第２実施形態によるＬＥＤ光源モジュール構造１０５の応用例を示す平面図である。図１６は、本考案の第２実施形態および第３実施形態によるＬＥＤ光源モジュール構造１０６，１０８の応用例を示す平面図である。図１７は、本考案の第２実施形態によるＬＥＤ光源モジュール構造１０７の応用例を示す平面図である。図１８は、本考案の第１実施形態によるＬＥＤ光源モジュール構造１０４の応用例を示す平面図である。図１９は、本考案の第３実施形態によるＬＥＤ光源モジュール構造１０９の応用例を示す平面図である。図２０は、本考案の第１実施形態によるＬＥＤ光源モジュール構造１０２の応用例を示す平面図である。図２１は、本考案の第１実施形態によるＬＥＤ光源モジュール構造１０３の応用例を示す平面図である。図２２は、本考案の第２実施形態および第３実施形態によるＬＥＤ光源モジュール構造１０５，１０９の応用例を示す平面図である。図２３は、本考案の第１実施形態によるＬＥＤ光源モジュール構造１０１，１０２の応用例を示す平面図である。図２４は、本考案の第１実施形態および第２実施形態によるＬＥＤ光源モジュール構造１０１，１０４，１０６，１０７の応用例を示す平面図である。図２５は、本考案の第１実施形態、第２実施形態および第３実施形態によるＬＥＤ光源モジュール構造１０１，１０４，１０６，１０７，１０８，１０９の応用例を示す平面図である。図２６は、本考案の第１実施形態、第２実施形態および第３実施形態によるＬＥＤ光源モジュール構造１０１，１０４，１０６，１０７，１０８，１０９の応用例を示す平面図である。図２７は、本考案の第１実施形態、第２実施形態および第３実施形態によるＬＥＤ光源モジュール構造１０１，１０２，１０６，１０７，１０８，１０９の応用例を示す平面図である。図２８は、本考案の第１実施形態、第２実施形態および第３実施形態によるＬＥＤ光源モジュール構造１０１，１０２，１０３，１０４，１０５，１０７，１０８，１０９の応用例を示す平面図である。
【００１５】
（第１実施形態）
図１〜図４を参照する。図１〜図４に示すように、本実施形態によるＬＥＤ光源モジュール構造１０１，１０２，１０３，１０４は、回路基板２０および複数のＬＥＤ３０からなる。
【００１６】
回路基板２０は、四辺形である。回路基板２０は、第１の側辺２１、第２の側辺２２、第３の側辺２３および第４の側辺２４を有する。回路基板２０の第１の側辺２１と第２の側辺２２とは、対向する位置にある。また、回路基板２０の第３の側辺２３と第４の側辺２４とは、対向する位置にある。図１に示すように、第１の側辺２１および第２の側辺２２は、回路基板２０の上下の両側辺であり、第３の側辺２３および第４の側辺２４は、回路基板２０の左右の両側辺である。
【００１７】
回路基板２０は、正方形の回路基板（図１および図２を参照）または長方形の回路基板（図３および図４を参照）とする。図１〜図４を参照する。図１〜図４に示すように、回路基板２０は、１組の第１の電源接続部４１および１組の第２の電源接続部４２を備える。第１の電源接続部４１は、第１の側辺２１の辺縁に配置される。第２の電源接続部４２は、第３の側辺２３および第４の側辺２４の中点を結んだ線に対し、第１の電源接続部４１と線対称の位置の第２の側辺２２の辺縁に配置される。
【００１８】
図１および図２に示すように、回路基板２０は、さらに、１組の第３の電源接続部４３および１組の第４の電源接続部４４を備える。第３の電源接続部４３は、第３の側辺２３の辺縁に配置される。第４の電源接続部４４は、第１の側辺２１および第２の側辺２２の中点を結んだ線に対し、第３の電源接続部４３と線対称の位置の第４の側辺２４の辺縁に配置される。
【００１９】
辺縁の電源接続部４１，４２，４３，４４により、隣合う２つの回路基板２０を電気的に接続する。また、各電源接続部４１，４２，４３，４４は、正極および負極から構成されるため、ＬＥＤ光源モジュール構造１０１，１０２，１０３，１０４は、必要に応じて各種サイズに組み立てることができる。
【００２０】
図１〜図４に示すように、ＬＥＤ３０は、回路基板２０に配置されて電気的に接続され、回路基板２０上に、複数の連続して配列する正六辺形３１を形成する。図３および図４に示すように、回路基板２０の第１の側辺２１および第２の側辺２２に隣接する部分は、複数の１／２正六辺形３２からそれぞれ構成される。また、回路基板２０の第３の側辺２３に隣接する部分は、少なくとも１つの（ｎ−ｍ）／ｎ正六辺形３３から構成される。また、回路基板２０の第４の側辺２４に隣接する部分は、少なくとも１つのｍ／ｎ正六辺形３４から構成される。ここで、ｎおよびｍは、自然数であり、ｎ>ｍであり、ｎ≠２である。
【００２１】
図１および図２に示すように、第３の側辺２３および第４の側辺２４は、少なくとも１つの（ｎ−ｍ）／ｎ正六辺形３３と少なくとも１つのｍ／ｎ正六辺形３４とが交互に配置されて構成される。
【００２２】
ＬＥＤ光源モジュール構造１０１，１０２，１０３，１０４の各側辺２１，２２，２３，２４の正六辺形の配列方式は、明らかに異なるため、組立作業のとき、認識しやすく、組立を誤る確率を低減することができる。
【００２３】
例えば、図１に示すように、ＬＥＤ発光モジュール構造１０１の回路基板２０が正方形の回路基板であり、複数の連続して配列する正六辺形３１を備え、ｍ＝５であり、ｎ＝２４であるとき、第１の側辺２１および第２の側辺２２は、５つの１／２正六辺形３２をそれぞれ有する。また、第３の側辺２３は、４つの１９／２４正六辺形３３および３つの５／２４正六辺形３４を有する。また、第４の側辺２４は、４つの５／２４正六辺形３４および３つの１９／２４正六辺形３３を有する。
【００２４】
（第２実施形態）
図５〜図７を参照する。図５〜図７に示すように、本実施形態によるＬＥＤ光源モジュール構造１０５，１０６，１０７は、回路基板２０’および複数のＬＥＤ３０を備える。
【００２５】
回路基板２０’は、四辺形である。回路基板２０’は、第５の側辺２５、第６の側辺２６、第７の側辺２７および第８の側辺２８を有する。回路基板２０’の第５の側辺２５と第６の側辺２６とは、対向する位置にある。また、回路基板２０’の第７の側辺２７と第８の側辺２８とは、対向する位置にある。図５に示すように、第５の側辺２５および第６の側辺２６は、回路基板２０’の上下の両側辺であり、第７の側辺２７および第８の側辺２８は、回路基板２０’の左右の両側辺である。
【００２６】
回路基板２０’は、長方形の回路基板（図５および図６を参照）または正方形の回路基板（図７を参照）とする。図５および図６を参照する。図５および図６に示すように、回路基板２０’は、１組の第５の電源接続部４５および１組の第６の電源接続部４６を備える。第５の電源接続部４５は、第７の側辺２７の辺縁に配置される。第６の電源接続部４６は、回路基板２０’の第５の側辺２５および第６の側辺２６の中点を結んだ線に対し、第５の電源接続部４５と線対称の位置の第８の側辺２８の辺縁に配置される。
【００２７】
図５〜図７に示すように、回路基板２０’は、さらに、１組の第７の電源接続部４７および１組の第８の電源接続部４８を備える。第７の電源接続部４７は、回路基板２０’の第５の側辺２５の辺縁に配置される。第８の電源接続部４８は、回路基板２０’の第７の側辺２７および第８の側辺２８の中点を結んだ線に対し、第７の電源接続部４７と線対称の位置の第６の側辺２６の辺縁に配置される。
【００２８】
図５〜図７に示すように、ＬＥＤ３０は、回路基板２０’に配置されて電気的に接続され、回路基板２０’上に複数の連続して配列する正六辺形３１を形成する。図５に示すように、第５の側辺２５および第６の側辺２６に隣接する部分は、１／２正六辺形３２からそれぞれ構成される。また、第７の側辺２７および第８の側辺２８に隣接する部分は、少なくとも１つの（ｎ−ｍ）／ｎ正六辺形３３から構成される。ここで、ｎおよびｍは、自然数であり、ｎ>ｍであり、ｎ≠２である。また、図６に示すように、第７の側辺２７および第８の側辺２８は、少なくとも１つの（ｎ−ｍ）／ｎ正六辺形３３と少なくとも１つのｍ／ｎ正六辺形３４とが交互に配置されて構成されてもよい。
【００２９】
例えば、図５に示すように、ＬＥＤ発光モジュール構造１０５の回路基板２０’が長方形の回路基板であり、複数の連続して配列する正六辺形３１を有し、ｍ＝５であり、ｎ＝２４であるとき、第５の側辺２５および第６の側辺２６は、１つの１／２正六辺形３２をそれぞれ有する。また、第７の側辺２７および第８の側辺２８は、２つの１９／２４正六辺形３３および１つの５／２４正六辺形３４をそれぞれ有する。
【００３０】
（第３実施形態）
図８および図９を参照する。図８および図９に示すように、本実施形態によるＬＥＤ光源モジュール構造１０８，１０９は、回路基板２０’’および複数のＬＥＤ３０を備える。
【００３１】
回路基板２０’’は、四辺形である。回路基板２０’’は、第９の側辺５１、第１０の側辺５２、第１１の側辺５３および第１２の側辺５４を有する。また、回路基板２０’’の第９の側辺５１と第１０の側辺５２とは、対向する位置にある。また、回路基板２０’’の第１１の側辺５３と第１２の側辺５４とは、対向する位置にある。図８に示すように、第９の側辺５１および第１０の側辺５２は、回路基板２０’’の上下の両側辺であり、第１１の側辺５３および第１２の側辺５４は、回路基板２０’’の左右の両側辺である。
【００３２】
回路基板２０’’は、長方形の回路基板（図８を参照）または正方形の回路基板（図９を参照）とする。図８および図９を参照する。図８および図９に示すように、回路基板２０’’は、１組の第９の電源接続部５５および１組の第１０の電源接続部５６を備える。第９の電源接続部５５は、第９の側辺５１の辺縁に配置される。第１０の電源接続部５６は、回路基板２０’’の第１１の側辺５３および第１２の側辺５４の中点を結んだ線に対し、第９の電源接続部５５と線対称の位置の回路基板２０’’の第１０の側辺５２の辺縁に配置される。
【００３３】
図８に示すように、回路基板２０’’は、さらに、１組の第１１の電源接続部５７および１組の第１２の電源接続部５８を備える。第１１の電源接続部５７は、回路基板２０’’の第１１の側辺５３の辺縁に配置される。第１２の電源接続部５８は、回路基板２０’’の第９の側辺５１および第１０の側辺５２の中点を結んだ線に対し、第１１の電源接続部５７と線対称の位置の第１２の側辺５４の辺縁に配置される。
【００３４】
図８および図９に示すように、ＬＥＤ３０は、回路基板２０’’に配置されて電気的に接続され、回路基板２０’’上に複数の連続して配列する正六辺形３１を形成する。図９に示すように、第９の側辺５１および第１０の側辺５２に隣接する部分は、（ｎ−ｍ）／２ｎ正六辺形３５からそれぞれ構成される。また、第１１の側辺５３および第１２の側辺５４に隣接する部分は、少なくとも１つのｍ／ｎ正六辺形３４からそれぞれ構成される。ここで、ｎおよびｍは、自然数であり、ｎ>ｍであり、ｎ≠２である。また、図８に示すように、第１１の側辺５３および第１２の側辺５４は、少なくとも１つの（ｎ−ｍ）／ｎ正六辺形３３と少なくとも１つのｍ／ｎ正六辺形３４とが交互に配置されて構成されてもよい。
【００３５】
例えば、図８に示すように、ＬＥＤ発光モジュール構造１０８の回路基板２０’’が長方形の回路基板であり、複数の連続して配列する正六辺形３１を有し、ｍ＝５であり、ｎ＝２４であるとき、第９の側辺５１および第１０の側辺５２は、２つの１９／４８正六辺形３５をそれぞれ有する。また、第１１の側辺５３および第１２の側辺５４は、３つの１９／２４正六辺形３３および４つの５／２４正六辺形３４をそれぞれ有し、１９／２４正六辺形３３と５／２４正六辺形３４とが交互に配置されて構成される。
【００３６】
上述の第１実施形態、第２実施形態および第３実施形態によるＬＥＤ光源モジュール構造１０１，１０２，１０３，１０４，１０５，１０６，１０７，１０８，１０９の応用方式を下記に示す。
【００３７】
図１０を参照する。図１０に示すように、回路基板２０上には、ＬＥＤ３０により、複数の連続する正六辺形３１が形成されており、回路基板２０の各側辺２１，２２，２３，２４は、異なる比率の正六辺形３１からそれぞれ構成される。従って、２つのＬＥＤ光源モジュール構造１０１を組み合せるとき、対応する側辺を正確に組み合せる必要がある。例えば、第３の側辺２３と第４の側辺２４とを接合することにより、接合部分に正六辺形３１が形成されるため、組立を誤るのを防止することができる。
【００３８】
図１１を参照する。図１１に示すように、２つのＬＥＤ光源モジュール構造１０１を互いに組み合せた後、第３の電源接続部４３、第４の電源接続部４４およびロック板７０により、ＬＥＤ光源モジュール構造１０１を互いに電気的に接続する。本来、第３の側辺２３および第４の側辺２４にそれぞれ配置されていた１９／２４正六辺形３３と５／２４正六辺形３４とは、組み立てられた後、それぞれ正六辺形３１となる。また、第３の側辺２３および第４の側辺２４の端部には、１／２正六辺形３２がそれぞれ形成される。
【００３９】
ＬＥＤ光源モジュール構造１０１を組み立てたとき、接合部分に正六辺形３１が形成される構造となっているため、組立を誤るのを防止することができる。また、互いに接合される第３の電源接続部４３および第４の電源接続部４４は、同一の極性であるため、極性の接続を誤るのを防止することができる。
【００４０】
図１２を参照する。図１２に示すように、第３の電源接続部４３と第４の電源接続部４４とをねじ６０および所定サイズのロック板７０を使用して固定することにより、隣合う２つのＬＥＤ光源モジュールの構造１０１の固定の補助を行うことができる。金属材料からなるロック板７０により、２つのＬＥＤ光源モジュール構造１０１の間は、電気的に接続される。また、ＬＥＤ光源モジュール構造１０１の接合を誤った場合、図１３に示すように、接合部分に正六辺形３１が形成されないだけでなく、互いに対応する第４の電源接続部４４と第１の電源接続部４１との極性が異なる上、位置がずれるため、所定サイズのロック板７０を配置することができない。従って、組立を誤るのを防止することができる。
【００４１】
各ＬＥＤ光源モジュール構造１０１，１０２，１０３，１０４，１０５，１０６，１０７，１０８，１０９中、ＬＥＤ３０が正六辺形３１の方式で配列するため、各ＬＥＤ３０の間の距離が等しい。これにより、光を均一に出射することができる。また、現在、大部分のＡＣ−ＤＣ電源装置は、１２ボルトまたは２４ボルトであるため、６つを１組として配列されるＬＥＤ３０は、定電流回路の設計に都合がよい。
【００４２】
各ＬＥＤ光源モジュール構造１０１，１０２，１０３，１０４，１０５，１０６，１０７，１０８，１０９は、様々なサイズに形成することができる。例えば、図１中の回路基板２０の各側辺２１，２２，２３，２４の長さがＡのとき、図２中の回路基板２０の各側辺２１，２２，２３，２４の長さは、１／２Ａとする。また、図３〜図６および図８中の回路基板２０，２０’，２０’’の側辺２１，２２，２３，２４，２５，２６，２７，２８，５１，５２，５３，５４の長さは、Ａ、１／２Ａおよび１／４Ａの中から構成することができる。また、図７および図９中の回路基板２０’，２０’’の各側辺２５，２６，２７，２８，５１，５２，５３，５４の長さは、１／４Ａとすることができる。上述の側辺の長さＡは、３０ｃｍ、１インチ、１メートルなどの様々なサイズとすることができる。
【００４３】
図１４〜図２８に示すように、各ＬＥＤ光源モジュール構造１０１，１０２，１０３，１０４，１０５，１０６，１０７，１０８，１０９は、様々なサイズに形成することができる上、モジュール化された設計により、各ＬＥＤ光源モジュール構造１０１，１０２，１０３，１０４，１０５，１０６，１０７，１０８，１０９を必要に基づき、様々な形状およびサイズに配列することができる。従って、各ＬＥＤ光源モジュール構造１０１，１０２，１０３，１０４，１０５，１０６，１０７，１０８，１０９の応用範囲を拡大することができるため、サイズが特殊な光源モジュールを製作する場合、一体成形による製造方法と比較し、製造コストおよび在庫数量を低減することができる。
【００４４】
上述の各実施形態は、本考案の特徴を示すものであり、その目的は、当該技術を熟知するものが本考案の内容を理解し、実施することであり、本考案の範囲を限定することではない。従って、本考案の主旨を逸脱しない範囲における修飾または変更は、全て本考案の実用新案請求の範囲に含まれる。
【符号の説明】
【００４５】
１０１  ＬＥＤ光源モジュール構造
１０２  ＬＥＤ光源モジュール構造
１０３  ＬＥＤ光源モジュール構造
１０４  ＬＥＤ光源モジュール構造
１０５  ＬＥＤ光源モジュール構造
１０６  ＬＥＤ光源モジュール構造
１０７  ＬＥＤ光源モジュール構造
１０８  ＬＥＤ光源モジュール構造
１０９  ＬＥＤ光源モジュール構造
２０  回路基板
２０’  回路基板
２０’’  回路基板
２１  第１の側辺
２２  第２の側辺
２３  第３の側辺
２４  第４の側辺
２５  第５の側辺
２６  第６の側辺
２７  第７の側辺
２８  第８の側辺
３０  ＬＥＤ
３１  正六辺形
３２  １／２正六辺形
３３  （ｎ−ｍ）／ｎ正六辺形
３４  ｍ／ｎ正六辺形
３５  （ｎ−ｍ）／２ｎ正六辺形
４１  第１の電源接続部
４２  第２の電源接続部
４３  第３の電源接続部
４４  第４の電源接続部
４５  第５の電源接続部
４６  第６の電源接続部
４７  第７の電源接続部
４８  第８の電源接続部
５１  第９の側辺
５２  第１０の側辺
５３  第１１の側辺
５４  第１２の側辺
５５  第９の電源接続部
５６  第１０の電源接続部
５７  第１１の電源接続部
５８  第１２の電源接続部
６０  ねじ
７０  ロック板
Ａ  辺長
【図１】
0003156891.tif 000003
【図２】
0003156891.tif 000004
【図３】
0003156891.tif 000005
【図４】
0003156891.tif 000006
【図５】
0003156891.tif 000007
【図６】
0003156891.tif 000008
【図７】
0003156891.tif 000009
【図８】
0003156891.tif 000010
【図９】
0003156891.tif 000011
【図１０】
0003156891.tif 000012
【図１１】
0003156891.tif 000013
【図１２】
0003156891.tif 000014
【図１３】
0003156891.tif 000015
【図１４】
0003156891.tif 000016
【図１５】
0003156891.tif 000017
【図１６】
0003156891.tif 000018
【図１７】
0003156891.tif 000019
【図１８】
0003156891.tif 000020
【図１９】
0003156891.tif 000021
【図２０】
0003156891.tif 000022
【図２１】
0003156891.tif 000023
【図２２】
0003156891.tif 000024
【図２３】
0003156891.tif 000025
【図２４】
0003156891.tif 000026
【図２５】
0003156891.tif 000027
【図２６】
0003156891.tif 000028
【図２７】
0003156891.tif 000029
【図２８】
0003156891.tif 000030